(57)【要約】 【課題】  本発明は、電界放出型表示装置に関し、安定なメモリー動作を実現することができ、また、小さい電圧振幅の消去パルスで絶縁体の帯電を消去することができる電界放出型表示装置を提供することを目的とする。【解決手段】  １行の書き込み動作に割り当てられた時間を書込期間、非書込期間、消去期間の３つに分割し、第１の電子引出電極５には、対応した書込期間のタイミングで電圧Ｖｇの走査パルスを印加し、その後、同数の書込期間と非書込期間とを含む任意の長さの電圧Ｖｓの維持パルスを印加し、電子放出材料３から電子を放出させるが、放出された電子のエネルギーが小さく、絶縁体６の入射電子量より放射電子量が小さくなるような電圧Ｖｅの消去パルスを印加する。陰極２には、エミッションを生じさせたい画素には書込期間にデータパルスを印加し、エミッションを生じさせたくない画素には非書込期間にデータパルスを印加する。【選択図】      図２
2006023332.tif 000002
【特許請求の範囲】
【請求項１】
陰極上の電子放出材料から、陰極と電子引出電極との作る電界で電子を引き出し、引き出した電子を陽極による電界で加速して蛍光体を発光させるとともに、電子引出電極と陽極との間に設けられた絶縁体を帯電させ、この帯電によって生じる電界を利用することにより電子放出材料から電子を引き出してアドレスを行っていない期間にも画素を発光させる電界放出型表示装置の駆動装置であって、
１行の書き込み動作に割り当てられた時間内に、書込期間と非書込期間とを設け、
前記陰極には、画素に書き込みを行うときは前記書込期間にデータパルスを印加し、画素に書き込みを行わないときは前記非書込期間に前記書込期間に印加するデータパルスと同じ長さのデータパルスを印加し、
前記電子引出電極には、前記書込期間に対応して走査パルスを印加し、その後、電子放出材料からの電子の放出を継続させる維持パルスをその期間中に同数の前記書込期間および非書込期間が含まれるように印加し、その後、電子放出材料から電子を放出させ、該電子を前記絶縁体に入射させて前記絶縁体の帯電を消去する消去パルスを印加することを特徴とする電界放出型表示装置の駆動装置。
【請求項２】
前記電界放出型表示装置は、前記電子放出材料との距離が、前記電子放出材料と前記電子引出電極との距離よりも短い位置に設けられ、前記陰極と作る電界で電子を引き出す第２の電子引出電極を有し、
前記消去パルスを該第２の電子引出電極に印加することを特徴とする請求項１に記載の電界放出型表示装置の駆動装置。
【請求項３】
陰極上の電子放出材料から、陰極と電子引出電極との作る電界で電子を引き出し、引き出した電子を陽極による電界で加速して蛍光体を発光させるとともに、電子引出電極と陽極との間に設けられた絶縁体を帯電させ、この帯電によって生じる電界を利用することにより電子放出材料から電子を引き出してアドレスを行っていない期間にも画素を発光させる電界放出型表示装置の駆動装置であって、
前記絶縁体の帯電を消去するときは、前記絶縁体において入射電子量より放射電子量が少なくなるエネルギーの電子を電子放出材料から放出させて前記絶縁体に入射させる消去パルスを、前記電子引出電極に印加することを特徴とする電界放出型表示装置の駆動装置。
【請求項４】
前記電界放出型表示装置は、前記電子放出材料との距離が、前記電子放出材料と前記電子引出電極との距離よりも短い位置に設けられ、前記陰極と作る電界で電子を引き出す第２の電子引出電極を有し、
前記消去パルスを該第２の電子引出電極に印加することを特徴とする請求項３に記載の電界放出型表示装置の駆動装置。
【請求項５】
陰極上の電子放出材料から、陰極と電子引出電極との作る電界で電子を引き出し、引き出した電子を陽極による電界で加速して蛍光体を発光させるとともに、電子引出電極と陽極との間に設けられた絶縁体を帯電させ、この帯電によって生じる電界を利用することにより電子放出材料から電子を引き出してアドレスを行っていない期間にも画素を発光させる電界放出型表示装置の駆動方法であって、
１行の書き込み動作に割り当てられた時間内に、書込期間と非書込期間とを設け、
前記陰極には、画素に書き込みを行うときは前記書込期間にデータパルスを印加し、画素に書き込みを行わないときは前記非書込期間に前記書込期間に印加するデータパルスと同じ長さのデータパルスを印加し、
前記電子引出電極には、前記書込期間に対応して走査パルスを印加し、その後、電子放出材料からの電子の放出を継続させる維持パルスをその期間中に同数の前記書込期間および非書込期間が含まれるように印加し、その後、電子放出材料から電子を放出させ、該電子を前記絶縁体に入射させて前記絶縁体の帯電を消去する消去パルスを印加することを特徴とする電界放出型表示装置の駆動方法。
【発明の詳細な説明】
【技術分野】
【０００１】
本発明は、電界放出型表示装置に関し、特に、メモリー機能を持つ電界放出型表示装置の駆動装置及びその駆動方法に関する。
【背景技術】
【０００２】
近年、表示装置として従来用いられてきたＣＲＴ（Cathode Ray Tube）に代わり、体積、重量、消費電力などに優れたフラットパネルディスプレイの実用化が進んでいる。
【０００３】
このようなフラットパネルディスプレイとして、液晶表示装置（ＬＣＤ：Liquid Crystal Display）やプラズマディスプレイパネル（ＰＤＰ：Plasma Display Panel）などに加え、高い表示品質と薄型軽量、低消費電力を兼ね備えたディスプレイとして電界放出型表示装置に期待が持たれている。
【０００４】
この電界放出型表示装置は、ＣＲＴと同様に加速された電子線が蛍光体に当たることによって生じる発光を利用して像を表示するもので、電圧を加えると電子を放出する冷陰極を画素毎に多数並べ、それを蛍光体と向い合わせた構造を持ち、冷陰極から放出された電子を真空中で加速して蛍光体を光らせるので、発光効率が高く低消費電力化が期待できる。冷陰極としては、スピント型、表面伝導型、炭素系の材料が用いられる。
【０００５】
通常、縦横に複数の画素を２次元に配置した電界放出型表示装置においては、１枚の画像を表示する場合に、１行の画素を同時に発光させ、１行ずつ順次発光させて画像を表示している（例えば、非特許文献１参照）。
【０００６】
このような表示方法では、画面の精細度を上げるために多画素化した場合、１枚の画像を表示するための時間が決まっているので、１つの画素（１行の画素）に対して割り当てられる発光の時間が画素の行数に反比例して短くなる。
【０００７】
したがって、画面の精細度を上げるために多画素化した場合、画面の輝度が低下していくという問題があった。
【０００８】
このような問題を解決する電界放出型表示装置として、本願出願人は、ゲート電極上に設けた絶縁体の帯電を制御し、各画素にメモリー機能を持たせ、画素数が多くなってもメモリー機能により輝度の低下を抑えることができる電界放出型表示装置を特願２００３−４１１６０９号において提案している。
【０００９】
特願２００３−４１１６０９号に記載された電界放出型表示装置は、ゲート電極上に設けられた絶縁体を帯電させ、この帯電によって生じる電界を利用することにより電子放出材料から電子を引き出して画素のアドレスを行っていない期間にも発光を行うことによりメモリー効果を実現している。
【非特許文献１】別井圭一、中谷忠司、「フィールドエミッションディスプレイ」、ＦＵＪＩＴＳＵ、富士通株式会社、１９９８年５月、４９巻３号、ｐ．２３０−２３４
【発明の開示】
【発明が解決しようとする課題】
【００１０】
特願２００３−４１１６０９号においては、電子放出の開始、維持、終了の手順については記載されているが、縦横に複数の画素を２次元に配置したマトリクス型の表示装置を駆動する場合、隣接する画素の影響等を考慮する必要があり、その駆動方法については記載されていない。
【００１１】
また、発光終了後、電子引出電極に負の電圧を印加することによって絶縁体の帯電を除去しているが、この方法では、負の電圧が非常に大きくなって消費電力が増加するという課題や、絶縁体の材料や画素構造によってはテレビ画像表示などの高速な駆動に対して、帯電を十分に消去できないという課題がある。
【００１２】
そこで、本発明は、書き込みデータが無い場合も、位相を変えてパルスを印加することにより、維持パルス期間に流れる電流の総和が一定となるようにして、安定なメモリー動作を実現することができ、また、エネルギーの小さい電子を放出させることにより、絶縁体の帯電を除去して、小さい電圧振幅の消去パルスで絶縁体の帯電を消去することができる電界放出型表示装置を提供することを目的とする。
【課題を解決するための手段】
【００１３】
上記課題を解決する第１の発明は、陰極上の電子放出材料から、陰極と電子引出電極との作る電界で電子を引き出し、引き出した電子を陽極による電界で加速して蛍光体を発光させるとともに、電子引出電極と陽極との間に設けられた絶縁体を帯電させ、この帯電によって生じる電界を利用することにより電子放出材料から電子を引き出してアドレスを行っていない期間にも画素を発光させる電界放出型表示装置の駆動装置であって、１行の書き込み動作に割り当てられた時間内に、書込期間と非書込期間とを設け、前記陰極には、画素に書き込みを行うときは前記書込期間にデータパルスを印加し、画素に書き込みを行わないときは前記非書込期間に前記書込期間に印加するデータパルスと同じ長さのデータパルスを印加し、前記電子引出電極には、前記書込期間に対応して走査パルスを印加し、その後、電子放出材料からの電子の放出を継続させる維持パルスをその期間中に同数の前記書込期間および非書込期間が含まれるように印加し、その後、電子放出材料から電子を放出させ、該電子を前記絶縁体に入射させて前記絶縁体の帯電を消去する消去パルスを印加することを特徴とするものである。
【００１４】
この発明では、書込期間、非書込期間のいずれか一方に必ず同じ長さのデータパルスが加えられることになり、どのような画像を表示する場合でも、維持パルス期間には同数のデータパルスが印加され、維持パルス期間に流れる電流の総和が一定となるとともに、小さい電圧パルスでかつ高速に絶縁体の帯電が消去される。
【００１５】
上記課題を解決する第２の発明は、上記第１の発明の構成に加え、前記電界放出型表示装置は、前記電子放出材料との距離が、前記電子放出材料と前記電子引出電極との距離よりも短い位置に設けられ、前記陰極と作る電界で電子を引き出す第２の電子引出電極を有し、前記消去パルスを該第２の電子引出電極に印加することを特徴とするものである。
【００１６】
この発明では、第２の電子引出電極を有する電界放出型表示装置においても、維持パルス期間に流れる電流の総和が一定となるとともに、小さい電圧パルスでかつ高速に絶縁体の帯電が消去される。
【００１７】
上記課題を解決する第３の発明は、陰極上の電子放出材料から、陰極と電子引出電極との作る電界で電子を引き出し、引き出した電子を陽極による電界で加速して蛍光体を発光させるとともに、電子引出電極と陽極との間に設けられた絶縁体を帯電させ、この帯電によって生じる電界を利用することにより電子放出材料から電子を引き出してアドレスを行っていない期間にも画素を発光させる電界放出型表示装置の駆動装置であって、前記絶縁体の帯電を消去するときは、前記絶縁体において入射電子量より放射電子量が少なくなるエネルギーの電子を電子放出材料から放出させて前記絶縁体に入射させる消去パルスを、前記電子引出電極に印加することを特徴とするものである。
【００１８】
この発明では、絶縁体において入射電子量より放射電子量が少なくなるエネルギーの電子が放出されて絶縁体に入射される。したがって、小さい電圧パルスでかつ高速に絶縁体の帯電が消去される。
【００１９】
上記課題を解決する第４の発明は、上記第３の発明の構成に加え、前記電界放出型表示装置は、前記電子放出材料との距離が、前記電子放出材料と前記電子引出電極との距離よりも短い位置に設けられ、前記陰極と作る電界で電子を引き出す第２の電子引出電極を有し、前記消去パルスを該第２の電子引出電極に印加することを特徴とするものである。
【００２０】
この発明では、第２の電子引出電極を有する電界放出型表示装置においても、小さい電圧パルスでかつ高速に絶縁体の帯電が消去される。
【００２１】
上記課題を解決する第５の発明は、陰極上の電子放出材料から、陰極と電子引出電極との作る電界で電子を引き出し、引き出した電子を陽極による電界で加速して蛍光体を発光させるとともに、電子引出電極と陽極との間に設けられた絶縁体を帯電させ、この帯電によって生じる電界を利用することにより電子放出材料から電子を引き出してアドレスを行っていない期間にも画素を発光させる電界放出型表示装置の駆動方法であって、１行の書き込み動作に割り当てられた時間内に、書込期間と非書込期間とを設け、前記陰極には、画素に書き込みを行うときは前記書込期間にデータパルスを印加し、画素に書き込みを行わないときは前記非書込期間に前記書込期間に印加するデータパルスと同じ長さのデータパルスを印加し、前記電子引出電極には、前記書込期間に対応して走査パルスを印加し、その後、電子放出材料からの電子の放出を継続させる維持パルスをその期間中に同数の前記書込期間および非書込期間が含まれるように印加し、その後、電子放出材料から電子を放出させ、該電子を前記絶縁体に入射させて前記絶縁体の帯電を消去する消去パルスを印加することを特徴とするものである。
【００２２】
この発明では、書込期間、非書込期間のいずれか一方に必ず同じ長さのデータパルスが加えられることになり、どのような画像を表示する場合でも、維持パルス期間には同数のデータパルスが印加され、維持パルス期間に流れる電流の総和が一定となるとともに、小さい電圧パルスでかつ高速に絶縁体の帯電が消去される。
【発明の効果】
【００２３】
本発明によれば、書込期間と非書込期間のいずれか一方に必ず同じ長さのデータパルスを加え、維持パルスを印加している期間には同数の書込期間および非書込期間を含むようにしているので、維持パルス期間に流れる電流の総和を一定にすることができ、安定なメモリー動作を実現することができる。
【００２４】
また、本発明によれば、絶縁体において入射電子量より放射電子量が少なくなるエネルギーの電子を電子放出材料から放出させて前記絶縁体に入射させる消去パルスを印加しているので、小さい電圧パルスでかつ高速に絶縁体の帯電を消去することができる。
【発明を実施するための最良の形態】
【００２５】
以下、本発明を図面を参照して説明する。
【００２６】
図１は本発明の第１実施形態の電界放出型表示装置の画素構造を示す断面図である。
【００２７】
図１において、ガラスなどの背面基板１上に帯状の複数の陰極２が図の断面に対して垂直方向を延伸方向として形成されている。
【００２８】
この陰極２上には電子放出材料３が形成されている。電子放出材料３は、例えば、カーボンナノチューブ（ＣＮＴ）などに代表される炭素系冷陰極材料からなる。さらに電子放出材料３の上には、電子放出材料３を囲むような開口部（ゲート開口部４ａ）を持つゲート絶縁層４が形成されており、このゲート絶縁層４の上には、ゲート開口部４ａに対応する孔を有する帯状の第１の電子引出電極５が陰極２と直交するように形成されている。
【００２９】
なお、電子放出材料３は、陰極２と第１の電子引出電極５とが交わる部分に形成されている。
【００３０】
背面基板１と対向して設けられる前面基板９の背面基板１と対向する側には、透明な陽極８が形成され、この陽極８上には、電子放出材料３に対応する部分に蛍光面７が形成されている。
【００３１】
陽極８と第１の電子引出電極５との間には、ゲート開口部４ａと蛍光面７とをそれぞれ底面とする円錐台状の孔部６ａを持つ絶縁体６が形成されている。
【００３２】
図では、ゲート開口部４ａよりも蛍光面７の面積が広くなっているので、孔部６ａが背面基板１から前面基板９に向かって広くなるようなテーパー状の円錐台状になっているが、ゲート開口部４ａと蛍光面７の面積を略同等として、円柱状の孔部６ａとしてもよい。
【００３３】
このような電界放出型表示装置において、陰極２と第１の電子引出電極５間に所定の電圧を印加すると、電子放出材料３から電子が放出され、蛍光面７を励起し発光させる。このとき、絶縁体６の孔部６ａの表面に電荷が帯電することによりメモリー機能が発生する。
【００３４】
一般に、絶縁体表面に電子が入射すると電子が放出されるが、入射電子１個に対して放出される電子数（二次電子放出係数）は入射電子のエネルギーによって図３に示したような特性となる。
【００３５】
図３において、入射電子のエネルギーがＥ１以下の時は、入射電子量より放出電子量のほうが少なく、電子入射により絶縁体表面は負に帯電する。一方、入射電子のエネルギーがＥ１より大きくなると、放出電子量が入射電子量より多くなり、絶縁体表面は正に帯電する。
【００３６】
このような電界放出型表示装置を従来行われている方法で駆動した場合の駆動方法を、図７を参照して説明する。ここでは、データラインを陰極２に、走査ラインを第１の電子引出電極５にした場合について説明する。
【００３７】
陰極２には各データラインに対応してデータパルスが加えられる。画素にデータを書き込む際には−Ｖｋの電圧を、データを書き込まないときには０Ｖを印加する。
【００３８】
画像表示に使用する第１の電子引出電極５の数をｎとすると、１フィールド内で１行目の第１の電子引出電極５からｎ行目の第１の電子引出電極５まで順番に走査パルスが印加され、各走査パルスに続いて維持パルス、消去パルスが印加される。
【００３９】
第ｉ行目の第１の電子引出電極５では、走査パルスが印加されるタイミングで陰極２の電圧が−Ｖｋのラインのみ書き込みが行われ、電子放出材料３から電子が放出される。この時、電子放出材料３から放出された電子は、一部は第１の電子引出電極５に吸収されるが、残りはゲート開口部４ａを通過して陽極８に印加された加速電圧によって蛍光面７方向に導かれる。このうち一部の電子が絶縁体６に衝突するが、電子は走査パルスと陰極電圧とにより、上述のエネルギーＥ１よりも大きいエネルギーを有し、絶縁体６から二次電子を放出させ、絶縁体６の孔部の表面は正に帯電する。これが書き込み動作となる。
【００４０】
書き込みが終了した第１の電子引出電極５には、電圧Ｖｓの維持パルスが印加される。Ｖｓは、それ自体の作る電界では電子放出材料３から電子を放出させることはできないが、絶縁体６の孔部６ａの表面に帯電した正電荷が作る電界と重畳することにより、電子放出材料３から電子を放出させるのに十分な電界を作ることのできる電圧である。
【００４１】
これにより、走査パルスのタイミングで電子放出を生じた画素は維持パルスにより電子放出材料３から電子放出が継続するが、走査パルスのタイミングで電子放出を生じなかった画素は維持パルスを印加しても電子放出材料３から電子放出は生じない。このようにしてメモリー機能が動作する。
【００４２】
しかし、ｉ行目の画素に書き込みが行われた際に、それ以降のデータパルスの有無によって維持パルス期間中にその画素に印加される電圧が影響を受け、正しい階調を表示することができなくなる。例えば、図７の場合、データパルスｉ＋２の有無により、ｉ行目の画素に対して維持パルス期間の放出電流が異なってしまう。
【００４３】
また、維持パルスが終了した後、絶縁体６の孔部６ａの表面に帯電した電荷を消去する必要があり、第１の電子引出電極５に負の電圧−Ｖｅｎを印加する。これにより絶縁体６の孔部６ａの表面に帯電した電荷は消去されるが、絶縁体６の孔部６ａの表面のリーク電流により帯電を消去する場合には、長時間の消去時間が必要となり、テレビ画像表示のような高速駆動の表示装置には適用できない。
【００４４】
また、第１の電子引出電極５から電子を放出させるための高電圧の消去パルスを印加しても消去は可能であるが、非常に大きな電圧を必要とするので消費電力が大きくなってしまう。
【００４５】
このような課題を解決する、縦横に複数の画素を２次元に配置したマトリクス型の表示装置に対して安定したメモリー機能を与え、低電圧でかつ高速に帯電を消去可能な駆動方法について説明する。
【００４６】
図２は、本実施形態の電界放出型表示装置の駆動方法を説明するための図である。
【００４７】
図２において、陰極２には、各データラインに対応してデータパルスが加えられる。画像表示に使用する第１の電子引出電極５の数をｎとすると、１フィールド内で１行目の第１の電子引出電極５からｎ行目の第１の電子引出電極５まで順番に走査パルスが印加され、各走査パルスに続いて維持パルス、消去パルスが印加される。
【００４８】
ＣＲＴの１水平走査期間に相当する１行の書き込み動作に割り当てられた時間を１水平期間とし、この１水平期間を書込期間、非書込期間、消去期間の３つに分割する。
【００４９】
走査ライン（この場合、第１の電子引出電極５）には、書込期間のタイミングで対応した走査ラインに電圧Ｖｇの走査パルスを印加する。その後、電圧Ｖｓの任意の長さの維持パルスを印加する。この維持パルスの期間には、同数の書込期間と非書込期間とを含むようにする。
【００５０】
データライン（この場合、陰極２）には、画像情報に応じてデータパルスが印加されるが、ある画素に対してエミッションを生じさせたいときには書込期間にデータパルスを印加し、エミッションを生じさせたくないときには非書込期間にデータパルスを印加する。ここで、書込期間に印加するデータパルスと非書込期間に印加するデータパルスは同じ長さとする。
【００５１】
従来は、エミッションを生じさせたいときにのみデータパルスを印加したが、本実施形態においては、エミッションを生じさせたくないときでも位相を変えてデータパルスを印加する。これにより、ある１つの水平期間では書込期間、非書込期間のいずれか一方に必ずデータパルスが加えられることになり、どのような画像を表示する場合でも、維持パルス期間には同数のデータパルスが印加され、維持パルス期間に流れる電流の総和が一定となり、他の画素の影響を受けない安定したメモリー動作を実現することができる。
【００５２】
維持パルスが終了した後、絶縁体６の孔部６ａの表面に帯電した電荷を消去するために、本実施形態では、第１の電子引出電極５に電圧Ｖｅの消去パルスを印加する。この消去パルスの電圧Ｖｅは、電子放出材料３から電子を放出させるが、これにより引き出された電子のエネルギーは図３のエネルギーＥ１よりも小さくなるような電圧であり、電子放出材料３から放出された電子により絶縁体６の孔部６ａの表面に帯電していた正の電荷が消去される。これにより、小さい電圧パルスでかつ高速に絶縁体６の孔部６ａの表面の帯電を消去することができる。
【００５３】
本実施形態の他の態様としては、図４に示すように、１水平期間を書込期間と非書込期間に分け、上述の実施形態同様に、ある画素に対してエミッションを生じさせたいときには書込期間にデータパルスを印加し、エミッションを生じさせたくないときには非書込期間にデータパルスを印加する。そして、消去期間は、全ての行の維持パルスが終了した後に（１フィールドの最後）、全ての行に同じタイミングで設けられ、全ての行で一斉に消去パルスを印加するようにする。
【００５４】
次に、図５は本発明の第２実施形態の電界放出型表示装置の画素構造を示す断面図である。なお、本実施形態は、上述第１実施形態と略同様に構成されているので、同様な構成には同一の符号を付して特徴部分のみ説明する。
【００５５】
図５に示すように、本実施形態の電界放出型表示装置は、背面基板１上に上述の実施形態のものよりも幅の狭い帯状の複数の陰極２が、上述の実施形態同様に図の断面に対して垂直方向を延伸方向として形成され、該陰極２の近傍に、陰極２と対をなして、帯状の第２の電子引出電極１０が、陰極２と平行に形成されている。そして、この陰極２上には、上述の実施形態同様に、電子放出材料３が形成されている。
【００５６】
なお、第２の電子引出電極１０と電子放出材料３との距離は、第１の電子引出電極５と電子放出材料３との距離よりも短くする。
【００５７】
本実施形態の場合には、陰極２と第２の電子引出電極１０との間に電圧を印加することで電子放出材料３から電子を放出させ、放出された電子を陽極８に印加した電圧により加速させて蛍光面７を励起して発光させることで、画像を形成するようになっている。
【００５８】
また、第１の電子引出電極５に印加する電圧を変更することによって、電子放出材料３から放出された電子が、ゲート開口部４ａを通過するかどうかを制御することができる。
【００５９】
図６は、このような電界放出型表示装置の駆動方法を説明するための図である。
【００６０】
図６に示すように、１行の書き込み動作に割り当てられた時間を１水平期間とし、この１水平期間を書込期間、非書込期間、消去期間の３つに分割し、陰極２には、上述の実施形態同様に、画像情報に応じてデータパルスが印加されるが、ある画素に対してエミッションを生じさせたいときには書込期間にデータパルスを印加し、エミッションを生じさせたくないときには非書込期間にデータパルスを印加する。ここで、書込期間に印加するデータパルスと非書込期間に印加するデータパルスは同じ長さとする。
【００６１】
第１の電子引出電極５には、走査パルスと維持パルスについては上述の実施形態と同様に、対応した書込期間のタイミングで電圧Ｖｇの走査パルスを印加し、電圧Ｖｓの任意の長さの維持パルスを印加する。この維持パルスの期間には、同数の書込期間と非書込期間とを含むようにする。
【００６２】
ここで、消去パルスは、第１の電子引出電極５には印加せず、上述の実施形態と同様のタイミングで、第２の電子引出電極１０に電圧Ｖｅ’の消去パルスを印加する。
【００６３】
第２の電子引出電極１０に印加した電圧Ｖｅ’により、電子放出材料３から電子が放出され、このエネルギーの小さい電子が絶縁体６の孔部６ａの表面に到達することによって、帯電していた正電荷を消去する。
【００６４】
このように本実施形態においては、書込期間、非書込期間のいずれか一方に必ずデータパルスを加えるようにし、維持パルスの期間には同数の書込期間と非書込期間とを含むようにしているので、どのような画像を表示する場合でも、維持パルス期間には同数のデータパルスが印加され、維持パルス期間に流れる電流の総和が一定となり、他の画素の影響を受けない安定したメモリー動作を実現することができる。
【００６５】
また、第２の電子引出電極１０に、消去パルスとしてエネルギーの小さい電子が放出するような電圧Ｖｅ’を印加しているので、小さい電圧パルスでかつ高速に絶縁体６の孔部６ａの表面の帯電を消去することができる。
【００６６】
なお、本実施形態においては、消去パルスを印加するタイミングを走査ライン毎に異ならせたが、上述の第１の実施形態の他の態様のように、消去パルスを全走査ライン同時に印加するようにしてもよい。
【図面の簡単な説明】
【００６７】
【図１】本発明の第１実施形態の電界放出型表示装置を示す図であり、その断面図である。
【図２】その駆動方法を説明するための波形図である。
【図３】絶縁体からの電子放出量の入射エネルギーとの依存性を示す図である。
【図４】本発明の第１実施形態の他の態様の電界放出型表示装置を示す図であり、その駆動方法を説明するための波形図である。
【図５】本発明の第２実施形態の電界放出型表示装置を示す図であり、その断面図である。
【図６】その駆動方法を説明するための波形図である。
【図７】従来の駆動方法により電界放出型表示装置を駆動した場合を説明するための波形図。
【符号の説明】
【００６８】
１  背面基板
２  陰極
３  電子放出材料
４  ゲート絶縁層
４ａ  ゲート開口部
５  第１の電子引出電極
６  絶縁体
６ａ  孔部
７  蛍光面
８  陽極
９  前面基板
１０  第２の電子引出電極
【図１】
2006023332.tif 000003
【図２】
2006023332.tif 000004
【図３】
2006023332.tif 000005
【図４】
2006023332.tif 000006
【図５】
2006023332.tif 000007
【図６】
2006023332.tif 000008
【図７】
2006023332.tif 000009